(57)【要約】      （修正有）【課題】廃液吸引針の不十分な洗浄によるクロスコンタミネーションを、効果的に解決する洗浄モジュール及びそれを備える検体分析装置を提供する。【解決手段】洗浄モジュールは、磁気ビーズ複合体が装着されたキュベットに洗浄液を注入するか、又は廃液を吸引する、洗浄モジュール本体と、キュベットに洗浄液を注入する注液針アセンブリ２０と、キュベット中の廃液を吸引する廃液吸引針アセンブリ３０と、を含み、廃液吸引針アセンブリが、取付台と、取付台に設けられた廃液吸引針３４と、を含み、廃液を吸引する作動位置と、廃液吸引針を洗浄する洗浄位置と、を有する。【選択図】図１
0003226049.tif 000002
【実用新案登録請求の範囲】
【請求項１】
磁気ビーズ複合体が装着されたキュベットに洗浄液を注入するか、又は廃液を吸引する洗浄モジュールであって、
洗浄モジュール本体と、
前記キュベットに洗浄液を注入する注液針アセンブリ（２０）と、
前記キュベット中の廃液を吸引する廃液吸引針アセンブリ（３０）と、を含み、
前記廃液吸引針アセンブリ（３０）は、取付台（３１）と、前記取付台（３１）に設けられた廃液吸引針（３４）と、を含み、廃液を吸引する作動位置と、前記廃液吸引針（３４）を洗浄する洗浄位置と、を有することを特徴とする、洗浄モジュール。
【請求項２】
前記廃液吸引針アセンブリ（３０）は、駆動部（３２）と、移動台（３３）と、をさらに含み、
前記取付台（３１）は、前記洗浄モジュール本体に取り付けて固定され、前記駆動部（３２）は、前記取付台（３１）に固定され、前記移動台（３３）は前記駆動部（３２）に連結され、
前記廃液吸引針（３４）は、前記移動台（３３）に固定され、前記駆動部（３２）の駆動により前記作動位置と前記洗浄位置との間で往復運動することを特徴とする、請求項１に記載の洗浄モジュール。
【請求項３】
前記移動台（３３）は、第１の連結ロッドと、第２の連結ロッドと、を含み、
前記第２の連結ロッドの第１端は、前記第１の連結ロッドに連結され、前記第２の連結ロッドの第２端は、前記駆動部（３２）に連結されることを特徴とする、請求項２に記載の洗浄モジュール。
【請求項４】
前記廃液吸引針（３４）は２つあり、前記第２の連結ロッドの第１端は、前記第１の連結ロッドの中間部に接続されてＴ字形構造を形成し、前記２つの廃液吸引針（３４）は、前記第１の連結ロッドの両端に取り付けられることを特徴とする、請求項３に記載の洗浄モジュール。
【請求項５】
前記移動台（３３）は、前記第１の連結ロッドに設けられた管路ホルダを含み、
前記廃液吸引針アセンブリ（３０）は、前記廃液吸引針（３４）に連結された廃液吸引管路と、前記廃液吸引管路に連結された廃液吸引ポンプと、を含むことを特徴とする、請求項３に記載の洗浄モジュール。
【請求項６】
前記廃液吸引針アセンブリ（３０）は、前記廃液吸引管路内の液体を検出するように前記廃液吸引管路の前記廃液吸引針（３４）に近い側に設けられたセンサ（３６）をさらに含むことを特徴とする、請求項５に記載の洗浄モジュール。
【請求項７】
前記注液針モジュール（２０）は、固定台（２１）と、前記固定台に固定されて注液システムを介して洗浄液と連通する注液針（２２）と、を含むことを特徴とする、請求項１に記載の洗浄モジュール。
【請求項８】
前記洗浄モジュールは、貫通孔を備えるターンテーブルを含むキュベットモジュール（１０）をさらに含み、
前記固定台（２１）は、縦支持体と、取付アームと、を含み、
前記縦支持体の一端が第１の底板に連結され、前記ターンテーブルの中心軸線は、前記貫通孔内に位置し、前記縦支持体の第２端が前記貫通孔を貫通し、前記取付アームの第１端が前記縦支持体の第２端に連結され、前記注液針（２２）が前記取付アームの第２端に取り付けられていることを特徴とする、請求項７に記載の洗浄モジュール。
【請求項９】
前記注液システムの管路は、前記ターンテーブルの貫通孔を貫通して前記注液針（２２）に連結されることを特徴とする、請求項８に記載の洗浄モジュール。
【請求項１０】
前記取付アームは複数であり、前記複数の取付アームは、前記縦支持体の第２端から、前記縦支持体の第２端から離れる方向へ水平に放射状に配列されることを特徴とする、請求項８に記載の洗浄モジュール。
【請求項１１】
前記取付台（３１）は、前記洗浄モジュール本体に固定された第２の底板と、前記第２の底板に固定された立板と、を含み、
前記立板は、逆Ｕ字形孔（３５）を備え、
前記移動台（３３）は、連結台本体と、前記連結台本体に設けられた連結軸と、を含み、
前記連結軸を前記逆Ｕ字形孔（３５）の軌跡に沿って移動可能にさせるように、前記連結軸が前記逆Ｕ字形孔（３５）を貫通して前記駆動部（３２）に連結されることを特徴とする、請求項２に記載の洗浄モジュール。
【請求項１２】
前記駆動部（３２）は、前記取付台（３１）に固定された駆動モータ（３２１）と、前記駆動モータ（３２１）の回転軸に固定された回転駆動ブロック（３２２）と、を含み、
前記回転駆動ブロック（３２２）にスリットが設けられ、前記連結軸は、前記逆Ｕ字形孔（３５）を貫通して前記スリット内に設けられ、前記スリットの軸線に沿って移動可能であることを特徴とする、請求項１１に記載の洗浄モジュール。
【請求項１３】
前記洗浄モジュールは、洗浄槽（４１）と洗浄ポンプを含む廃液吸引針洗浄システム（４０）をさらに含み、
前記洗浄槽（４１）の開口が上向きであり、前記廃液吸引針（３４）が前記洗浄位置に位置している場合、前記廃液吸引針（３４）は前記洗浄槽（４１）内に位置することを特徴とする請求項１に記載の洗浄モジュール。
【請求項１４】
洗浄モジュールを含む検体分析装置であって、
前記洗浄モジュールは、請求項１〜１３のいずれか１項に記載の洗浄モジュールであることを特徴とする、検体分析装置。
【考案の詳細な説明】
【技術分野】
【０００１】
本考案は、医療機器の技術分野に関し、具体的には、洗浄モジュール及びそれを備える検体分析装置に関する。
【背景技術】
【０００２】
化学発光免疫分析技術について、検体分析装置のうちの化学発光免疫分析装置を例として言えば、近年、世界中で急速に発展している高感度と高特異性を有する分析機器であり、臨床実験室において、血液、尿又はその他の体液等の検体の各免疫学的指標を検出し、その原理は、抗体抗原反応と化学発光という２つの技術を組み合わせて、高特異性と高感度を達成することである。化学発光分析において、より正確な測定結果が得られるように、反応容器中の反応溶液を分離洗浄する必要がある。一般的な洗浄方式は、反応容器に洗浄液を注入して十分に均一に混合した後に、廃液吸引針アセンブリを用いてキュベット内の廃液を排出することである。
【０００３】
一般的な洗浄機構では、注液針と廃液吸引針とは相対的に固定され、互いに一体である。廃液吸引針を洗浄する場合、一般に、注液針を用いて廃液吸引針の外壁に洗浄液をスプレーすることにより、廃液吸引針の外壁を洗い流す。しかし、廃液吸引針の針先等の位置が十分に洗浄できない場合があり、この場合廃液吸引針で廃液を継続に吸引すれば、後のキュベットにクロスコンタミネーションをもたらしやすくなる。
【考案の概要】
【考案が解決しようとする課題】
【０００４】
本考案は、洗浄モジュール及びそれを備える検体分析装置を提供して、従来の技術における廃液吸引針の不十分な洗浄によるクロスコンタミネーションの課題を解決することを主な目的とする。
【課題を解決するための手段】
【０００５】
上記目的を達成するために、本考案の一態様によれば、磁気ビーズ複合体が装着されたキュベットに洗浄液を注入するか、又は廃液を吸引する洗浄モジュールを提供し、洗浄モジュール本体と、キュベットに洗浄液を注入する注液針アセンブリと、キュベット中の廃液を吸引する廃液吸引針アセンブリと、を含み、廃液吸引針アセンブリが、取付台と、取付台に設けられた廃液吸引針と、を含み、廃液を吸引する作動位置と、廃液吸引針を洗浄する洗浄位置と、を有する。
【０００６】
さらに、廃液吸引針アセンブリは、駆動部と、移動台と、を含み、取付台は、洗浄モジュール本体に取り付けて固定され、駆動部は、取付台に固定され、移動台は、駆動部に連結され、廃液吸引針は、移動台に固定され、駆動部の駆動により作動位置と洗浄位置との間で往復運動する。
【０００７】
さらに、移動台は、第１の連結ロッドと、第２の連結ロッドと、を含み、第２の連結ロッドの第１端は、第１の連結ロッドに連結され、第２の連結ロッドの第２端は、駆動部に連結される。
【０００８】
さらに、廃液吸引針は２つあり、第２の連結ロッドの第１端は、第１の連結ロッドの中間部に接続されてＴ字形構造を形成し、２つの廃液吸引針は、第１の連結ロッドの両端に取り付けられる。
【０００９】
さらに、移動台は、第１の連結ロッドに設けられた管路ホルダを含み、廃液吸引針アセンブリは、廃液吸引針に連結された廃液吸引管路と、廃液吸引管路に連結された廃液吸引ポンプと、を含む。
【００１０】
さらに、廃液吸引針アセンブリは、廃液吸引管路内の液体を検出するようめに廃液吸引管路の廃液吸引針に近い側に設けられたセンサをさらに含む。
【００１１】
さらに、注液針アセンブリは、固定台と、固定台に固定されて、注液システムを介して洗浄液と連通する注液針と、を含む。
【００１２】
さらに、洗浄モジュールは、貫通孔を備えるターンテーブルを含むキュベットモジュールをさらに含み、固定台は、縦支持体と、取付アームと、を含み、縦支持体の一端が第１の底板に連結され、ターンテーブルの中心軸線は、貫通孔内に位置し、縦支持体の第２端が貫通孔を貫通し、取付アームの第１端が縦支持体の第２端に連結され、注液針が取付アームの第２端に取り付けられている。
【００１３】
さらに、注液システムの管路は、ターンテーブル貫通孔を貫通して注液針に連結される。
【００１４】
さらに、取付アームは複数であり、複数の取付アームは、縦支持体の第２端から、縦支持体の第２端から離れる方向へ水平に放射状に配列される。
【００１５】
さらに、取付台は、洗浄モジュール本体に固定された第２の底板と、第２の底板に固定された立板と、を含み、立板は、逆Ｕ字形孔を備え、移動台は、連結台本体と、連結台本体に設けられた連結軸と、を含み、連結軸は逆Ｕ字形孔の軌跡に沿って移動可能にさせるように、前記連結軸が逆Ｕ字形孔を貫通して駆動部に連結される。
【００１６】
さらに、駆動部は、取付台に固定された駆動モータと、駆動モータの回転軸に固定された回転駆動ブロックと、を含み、回転駆動ブロックにスリットが設けられ、連結軸は、逆Ｕ字形孔を貫通してスリット内に設けられ、スリットの軸線に沿って移動可能である。
【００１７】
さらに、洗浄モジュールは、洗浄槽と洗浄ポンプを含む廃液吸引針洗浄システムを含み、洗浄槽の開口が上向きであり、廃液吸引針が洗浄位置に位置している場合、廃液吸引針は洗浄槽内に位置する。
【００１８】
本考案の別の態様によれば、上記洗浄モジュールである洗浄モジュールを含む検体分析装置を提供する。
【考案の効果】
【００１９】
本考案の技術案を適用すれば、注液針アセンブリは、キュベット内に洗浄液を注入し、次に、廃液吸引針アセンブリが廃液を吸引する作動位置に位置している場合、キュベット内の廃液を吸引し、キュベット内の廃液を全部吸引した後、洗浄位置で洗浄し、このように、個別洗浄の方式により、廃液吸引針を徹底的に洗浄することができ、廃液吸引針に残留する廃液を大幅に減少させ、廃液吸引針によるクロスコンタミネーションを効果的に回避することができる。本考案の技術案は、従来技術における廃液吸引針の不十分な洗浄によるクロスコンタミネーションの課題を、効果的に解決する。
【図面の簡単な説明】
【００２０】
本願の一部となる図面は、本考案をさらに理解させるためのものであり、本考案の概略的な実施例及びその説明は、本考案を解釈するが、本考案を不当に限定するものではない。
【図１】本考案の洗浄モジュールの実施例の立体構造概略図を示す。
【図２】図１の洗浄モジュールの上面模式図を示す。
【図３】図１の洗浄モジュールの廃液吸引針アセンブリの立体構造概略図を示す。
【図４】図３の廃液吸引針アセンブリの別の角度の立体構造概略図を示す。
【図５】図１の洗浄モジュールの注液針アセンブリの上面模式図を示す。
【考案を実施するための形態】
【００２１】
なお、本願における実施例及び実施例における特徴は、矛盾しない限り、互いに組み合わせることができる。以下、図面を参照しながら実施例を挙げて本考案を詳細に説明する。
【００２２】
なお、以下の詳細な説明は、すべて例示的なものであり、本願の更なる説明を意図するものである。別段の定義がない限り、本明細書において用いるすべての科学技術用語は、本考案が属する技術分野の当業者に一般的に理解されるものと同じ意味を有する。
【００２３】
説明の便宜上、ここでは、あるデバイス又は特徴と他のデバイス又は特徴との空間的な位置関係を説明するために、「の上に」、「の上方に」、「の上面に」など、空間的に相対的な用語を用いることができる。これらの空間的に相対的な用語は、図面に示す配向の他に、使用時又は動作時のデバイスの様々な配向も包含するものと意図されていることを理解されたい。例えば、図中のデバイスをひっくり返した場合、「他のデバイス又は構造の上方」又は「他のデバイス又は構造の上」と述べられてたデバイスは、「他のデバイス又は構造の下方」又は「他のデバイス又は構造の下」に配向されることになる。したがって、例示的な用語「の上」は、「の上」と「の下」という両方の配向を含むことができる。該デバイスは、その他の配向にすることもでき（９０度回転する又はその他の配向になる）、本明細書で使用する空間的に相対的な記述は、それに応じて解釈されるものとする。
【００２４】
以下、図面を参照して、本願に係る例示的な実施形態をさらに詳細に説明する。ただし、これらの例示的な実施形態は、複数の異なる形態で実施することが可能であり、ここで説明した実施形態のみに限定されないと解釈すべきである。なお、これらの実施形態は、本願の開示を徹底的かつ完全なものにして、これらの例示的な実施形態の構想を十分に当業者に伝えるためのものであり、図面において、明瞭にするために、層と領域の厚みを拡大し、同じ符号で同じ部件を示すため、それらの説明は省略する。
【００２５】
図１〜図５に示すように、本実施例の洗浄モジュールは、磁気ビーズ複合体が装着されたキュベットに洗浄液を注入するか、又は廃液を吸引する。洗浄モジュールは、洗浄モジュール本体、注液針アセンブリ２０及び廃液吸引針アセンブリ３０を含む。キュベットに洗浄液を注入する。廃液吸引針アセンブリ３０は、キュベット中の廃液を吸引し、廃液吸引針アセンブリ３０が、取付台３１と、取付台３１に設けられた廃液吸引針３４とを含み、廃液を吸引する作動位置と、廃液吸引針を洗浄する洗浄位置とを有する。
【００２６】
本実施例の態様によれば、廃液吸引針アセンブリ３０はキュベット内の液体を吸引し、その後に注液針アセンブリ２０はキュベット内に洗浄液を注入する。廃液吸引針アセンブリ３０がキュベット内の廃液を全部吸引した後に洗浄を行い、個別洗浄の方式により廃液吸引針３４は徹底的に洗浄することができ、廃液吸引針３４に残留する廃液を大幅に減少し、廃液吸引針によるクロスコンタミネーションを効果的に回避することができる。本実施例の技術案は、従来技術における廃液吸引針の不十分な洗浄によるクロスコンタミネーションの課題を、効果的に解決する。
【００２７】
また、注液針アセンブリ２０の固定台２１はキュベットモジュール１０に固定され、このように、注液針２２及び注液システムは、常に移動する必要がなく、このように、注液システムが損傷になることを遅らせて、注液針アセンブリの耐用年数を延長し、使用コストをさらに低減させる。注液システムは、注液管路と、注液管路に設けられた注液ポンプとを含むが、必要に応じて、いずれも注液管路に設けられた電磁弁と流量計とをさらに含んでもよいことが言うまでもない。
【００２８】
図３及び図４に示すように、本実施例の技術案において、廃液吸引針アセンブリ３０は、駆動部３２と移動台３３とを含み、取付台３１は洗浄モジュール本体に取り付けて固定され、駆動部３２は取付台３１に固定され、移動台３３は駆動部３２に連結され、廃液吸引針３４は、移動台３３に固定され、駆動部３２の駆動により作動位置と洗浄位置との間で往復運動する。移動台３３及び駆動部３２の設置により、廃液吸引針３４が移動しやすくなる。具体的には、駆動部３２は駆動モータを含み、駆動モータの加工コストが低く、移動台３３の設置により、駆動モータの回転を、廃液吸引針３４の規則的な移動に変換することができる。
【００２９】
図３及び図４に示すように、本実施例の技術案において、移動台３３は、第１の連結ロッドと第２の連結ロッドとを含み、第２の連結ロッドの第１端は第１の連結ロッドに連結され、第２の連結ロッドの第２端は駆動部３２に連結される。上記構造は加工コストが低く、設置しやすく、構造がコンパクトであり、このような移動台３３は、廃液吸引針３４を移動させるように正確に駆動することができる。なお、第２の連結ロッドの第２端が駆動部３２に連結されることは、直接的な連結と、間接的な連結とを含み、例えば、本実施例の第２の連結ロッドは、縦板、スライダ及び連結軸等の構造を介して駆動部３２に間接的に連結される。具体的には、第２の連結ロッドの第２端が縦板に連結され、縦板に水平シュートが設けられ、スライダが水平シュート内に位置し、縦板に縦シュートに設けられ、スライダが同時に縦シュートにもマッチングし、連結軸は縦シュートに設けられ、上記の拘束により、移動台３３の水平移動及び垂直移動が保証される。
【００３０】
図３及び図４に示すように、本実施例の技術案において、廃液吸引針３４は２つあり、第２の連結ロッドの第１端は第１の連結ロッドの中間部に接続されてＴ字形構造を形成し、２つの廃液吸引針３４は第１の連結ロッドの両端に取り付けられる。上記構造は、廃液吸引針アセンブリ３０の廃液を吸引する効率を向上させる。なお、本実施例の技術案において、各廃液吸引針アセンブリ３０は、２つの廃液吸引針３４を含み、本実施例の技術案において、２組の廃液吸引針アセンブリ３０を有する。第２の連結ロッドが直線状であって、第２の連結ロッドの軸線と第１の連結ロッドの軸線とが互いに直交してもよく、当然ながら、第２の連結ロッドが弧形であってもよい。注液針２２は、廃液吸引針と一対一に対応して設けられ、その対応する廃液吸引針の上流に位置し（上流とは、ターンテーブルが回転する方向を指し、即ち、キュベットから廃液が全部吸引された後、ターンテーブルが続いてある箇所ほど回転し、対応するようになる注液針が該キュベットに液体を注入する）、注液針が４つあり、廃液吸引針も４つある。
【００３１】
図３及び図４に示すように、本実施例の技術案において、移動台３３は、第１の連結ロッドに設けられた管路ホルダを含み、廃液吸引針アセンブリ３０は、廃液吸引針３４に連結された廃液吸引管路と、廃液吸引管路に連結された廃液吸引ポンプとを含む。管路ホルダの設置により、廃液管路がより安定的に固定されると共に、廃液吸引管路の特徴に応じて管路ホルダを設置することもでき、例えば、廃液吸引管路に凹形状が生じてはいけないため、廃液吸引管路に凹形状が生じないように管路ホルダを合理的に配置する必要があり、このように、廃液吸引管路内に液体が蓄積することがない。管路ホルダは第１の連結ロッドに設けられた２つの管路ホルダを含むことができ、廃液管路を固定するために、他の位置に設けられた複数の管路ホルダをさらに含む。
【００３２】
図３及び図４に示すように、本実施例の技術案において、廃液吸引針アセンブリ３０は、廃液吸引管路内の液体を検出するために、廃液吸引管路の廃液吸引針３４に近い側に設けられたセンサ３６をさらに含む。センサ３６で廃液管路内の液体を検出することにより、作業者は廃液を全部吸引したか否かが容易に分かる。
【００３３】
図３及び図４に示すように、本実施例の技術案において、廃液吸引針３４は、廃液吸引システムを介して廃液システムと連通する。廃液吸引針３４によって吸引された液体は、廃液針を通って廃液システムに流入し、廃液吸引針３４の内部の洗浄に有利となる。
【００３４】
図１及び図５に示すように、本実施例の技術案において、注液針アセンブリ２０は、固定台２１と、固定台２１に固定されて、注液システムを介して洗浄液と連通する注液針２２と、を含む。固定台２１の設置により、注液針２２が便利に固定され、注液針２２が注液システムを介して洗浄液と連通することで、注液針２２は汚染されにくい。なお、作動時に、注液針アセンブリ２０は移動する必要がなく、固定台２１が注液針２２を固定する。
【００３５】
図１及び図５に示すように、本実施例の技術案において、キュベットモジュール１０は、貫通孔を備えるターンテーブルを含み、固定台３１は、縦支持体と取付アームとを含み、縦支持体の一端が第１の底板に連結され、ターンテーブルの中心軸線は貫通孔内に位置し、縦支持体の第２端が貫通孔を貫通し、取付アームの第１端が縦支持体の第２端に連結され、注液針２２が取付アームの第２端に取り付けられている。上記構造はコンパクトであり、質量が小さい。縦支持体は貫通孔内を貫通し、中心軸線が貫通孔内に位置するため、ターンテーブルが回転するときに、縦支持体は回転する必要がなく、これで固定台２１と注液システムの耐用年数を大幅に延長する。なお、キュベットモジュール１０は、検体分析装置の構成要素であり、洗浄モジュールは、キュベットモジュール１０と組み合わせて使用する必要がある。
【００３６】
図１に示すように、本実施例の技術案において、注液システムの管路は、ターンテーブル貫通孔を貫通して注液針２２に連結される。なお、上記注液システムの管路とは、注液針２２に連結される、注液システムの管路を指す。このように、注液システムの管路は常に移動する必要がなく、注液システムの耐用年数を延長する。
【００３７】
図１及び図５に示すように、本実施例の技術案において、取付アームは複数であり、複数の取付アームは、縦支持体の第２端から、縦支持体の第２端から離れる方向へ水平に放射状に配列される。複数の取付アームの構造は、注液する作業効率を大幅に向上させる。
【００３８】
図１に示すように、本実施例の技術案において、注液針２２は、ターンテーブル貫通孔を貫通して注液針２２に連結されている。注液針２２は専用の注液システムを有し、上記構造の注液針２２は汚染されにくい。
【００３９】
図１〜図５に示すように、本実施例の技術案において、固定台２１が第１の底板に固定され、注液針２２が固定台２１に固定されている。上述した注液針２２と廃液吸引針３４とは、分離して設置され、設置構造が比較的柔軟である。もちろん、本願の他の実施例として、固定台２１が取付台３１に固定され、注液針２２が固定台２１に固定される。このような注液針２２は、廃液吸引針３４と一体に設けられる。
【００４０】
図１〜図５に示すように、本実施例の技術案において、取付台３１は、洗浄モジュール本体に固定された第２の底板と、第２の底板に固定された立板とを含み、立板は、逆Ｕ字形孔３５を備え、移動台３３は、連結台本体と連結台本体に設けられた連結軸とを含み、連結軸は、逆Ｕ字形孔３５の軌跡に沿って移動可能なように、逆Ｕ字形孔３５を貫通して駆動部３２に連結される。このように、移動台３３の移動を分解する必要がなく、移動台３３の移動が一気に達成でき、効率が高い。例えば、移動台３３の移動軌跡は、水平移動と垂直移動に分解することができ、これは２つの駆動部件が必要であり、移動が複数のステップで実行され、このような構造が複雑であり、例えば駆動部件が多くなり、一方、移動台の動作時間が長くなり、効率が低下する。
【００４１】
図３に示すように、本実施例の技術案において、駆動部３２は、取付台３１に固定された駆動モータ３２１と、駆動モータ３２１の回転軸に固定された回転駆動ブロック３２２とを含み、回転駆動ブロック３２２にスリットが設けられ、連結軸は、逆Ｕ字形孔３５を貫通してスリットに設けられ、スリットの軸線に沿って移動可能である。回転駆動ブロック３２２は、移動台３３を駆動し、スリットと逆Ｕ字形孔３５ともに連結軸を拘束することにより、移動台３３を所定の軌跡で走行させることで、移動台３３移動が比較的安定し、正確である。具体的には、本実施例の技術案において、連結軸に２つの軸受が設けられ、一方の軸受が逆Ｕ字形孔３５と連結軸との間に位置し、他方の軸受がスリットと連結軸との間に位置する。軸受の設置により、摩擦力が減少し、連結軸と逆Ｕ字形孔３５との又は連結軸とスリットとの係止を回避する。
【００４２】
図１及び図２に示すように、本実施例の技術案において、廃液吸引針洗浄システム４０は、洗浄槽４１と、洗浄ラインと、洗浄ポンプとを含み、洗浄槽４１の開口が上向きであり、廃液吸引針３４が洗浄位置に位置している場合、廃液吸引針３４は洗浄槽４１内に位置する。廃液吸引針３４を洗浄するとき、廃液吸引針３４が洗浄位置に移動することで、廃液吸引針が洗浄槽４１内に位置するようになり、洗浄槽４１内に洗浄液があり、廃液吸引針３４が洗浄槽４１内に位置して洗浄液を外部へ吸引し、これで廃液吸引針３４の外壁と内壁はいずれも洗浄可能である。具体的には、廃液吸引針３４の外壁に対する洗浄は、洗浄槽４１により洗浄液をスプレーして、外壁を洗い流す。廃液吸引針３４の内壁に対する洗浄は、洗浄槽４１内の洗浄液を廃液吸引針３４から廃液システムに吸引して行われることであり、このように、廃液吸引針３４の外壁、内壁及び針先等の位置は、全て洗浄される。洗浄槽４１は、洗浄槽４１の側壁に位置する入液口と、洗浄槽４１の底壁に位置する排液口と、をさらに有する。洗浄ラインの第１端は入液口に連結され、洗浄ポンプは洗浄ラインの第２端に位置する。
【００４３】
本願は、洗浄モジュールを含む検体分析装置をさらに提供する。洗浄モジュールは上述した洗浄モジュールである。
【００４４】
なお、ここで用いた用語は、具体的な実施形態を説明するためのものであり、本願の例示的な実施形態を限定するものではない。例えば、文脈によって明示されていない限り、本明細書において、単数の形態も複数の形態を含み、また、本明細書において「包含」及び／又は「含む」という用語を使用した場合、特徴、ステップ、動作、部件、アセンブリ及び／又はそれらの組み合わせが存在することを示すものと理解すべきである。
【００４５】
なお、本願の明細書、特許請求の範囲及び上記図面における用語「第１」、「第２」等は、類似した対象を区別するためのものであり、必ずしも特定の順序又は優先順位を記述するものではない。ここで説明した本願の実施形態が、例えばここでの説明又は図示以外の順序でも実施できるように、このように使用されたデータは、適宜入れ替えてもよいと理解すべきである。また、用語「含む」、「備える」及それらのいかなる変形は、非排他的な包含をカバーすることを意図され、例えば、一連のステップ又は手段を含む過程、方法、システム、製品又は設備は、明確に挙げたステップ又は手段には限定されず、明確に挙げていないか又はこれらの過程、方法、システム、製品又は設備に固有の、他のステップ又は手段を含んでもよい。
【００４６】
以上は本考案の好ましい実施例に過ぎず、本考案を限定するものではなく、当業者であれば、本考案には種々の変更と変形が可能である。本考案の精神と原則内で行われたいかなる修正、等価な置き換え、改善などは、いずれも本考案の保護範囲内に含まれるべきである。
【符号の説明】
【００４７】
上記図面には、以下の符号を含む。
【００４８】
１０  キュベットモジュール
２０  注液針アセンブリ
２１  固定台
２２  注液針
３０  廃液吸引針アセンブリ
３１  取付台
３２  駆動部
３２１  駆動モータ
３２２  回転駆動ブロック
３３  移動台
３４  廃液吸引針
３５  逆Ｕ字形孔
３６  センサ
４０  廃液吸引針洗浄システム
４１  洗浄槽
【図１】
0003226049.tif 000003
【図２】
0003226049.tif 000004
【図３】
0003226049.tif 000005
【図４】
0003226049.tif 000006
【図５】
0003226049.tif 000007